(57)【要約】【課題】この発明は、放送局や中継局の増設、切り替え等に伴なうチャンネルの追加、変更に対して適応的に対応したチャンネルスキャンを行なうことができ、ユーザにとっての使い勝手を向上させ実用に好適する放送受信装置及び放送受信方法を提供することを目的としている。【解決手段】チャンネルスキャンにより受信可能なチャンネルの検出を行なった状態で、既に複数の選局ポジションに割り当てられているチャンネルをリセットして、検出したチャンネルを選局ポジションに割り当てるか、既に複数の選局ポジションに割り当てられているチャンネルを保持して、検出されたチャンネルを複数の選局ポジションのうちチャンネルの割り当てられていない空きポジションに割り当てるかを選択するための割り当て方法選択メニューを表示する。【選択図】    図９
2005117334.tif 000002
【特許請求の範囲】
【請求項１】
特定のチャンネルが所定数の選局ポジションに割り当てられている状態で、再スキャンを要求する操作に基づいて複数のチャンネルを順次切り替えて受信することにより、放送を受信可能なチャンネルを検出する検出手段と、
前記選局ポジションに対するチャンネルの割り当てのリセットを要求する操作に基づいて、前記選局ポジションに対する前記特定のチャンネルの割り当てをリセットし、前記検出手段で検出されたチャンネルを前記選局ポジションに割り当てるリセット割り当て手段と、
前記選局ポジションに対するチャンネルの割り当ての保持を要求する操作に基づいて、前記選局ポジションに対する前記特定のチャンネルの割り当てを保持し、前記検出手段で検出されたチャンネルを前記選局ポジションのうちチャンネルの割り当てられていない空きポジションに割り当てる保持割り当て手段と、
受信したチャンネルから放送受信装置毎に個別の情報を取得してメモリに記録する記録手段と、
前記メモリに情報を記録されたチャンネルの数が所定数よりも不足した状態で、前記メモリに記録する情報を取得するチャンネルの選択を要求するための操作メニューを表示する表示手段と、
前記表示手段で表示された操作メニューの操作に基づいて選択されたチャンネルに対して、該チャンネルから取得される情報を記録するための領域を前記メモリに割り当てる情報割り当て手段とを具備したことを特徴とする放送受信装置。
【請求項２】
初期スキャンを要求する操作に基づいて複数のチャンネルを順次切り替えて受信することにより、放送を受信可能なチャンネルを検出する初期検出手段と、
この初期検出手段で検出されたチャンネルを、予め設定された数の選局ポジションに割り当てる初期割り当て手段と、
この初期割り当て手段に基づいて前記選局ポジションにチャンネルが割り当てられている状態で、再スキャンを要求する操作に基づいて複数のチャンネルを順次切り替えて受信することにより、放送を受信可能なチャンネルを検出する再検出手段と、
前記選局ポジションに対するチャンネルの割り当てをリセットし、前記再検出手段で検出されたチャンネルを前記選局ポジションに割り当てるリセット割り当て手段と、
受信したチャンネルから放送受信装置毎に個別の情報を取得してメモリに記録する記録手段と、
前記メモリに情報を記録されたチャンネルの数が所定数よりも不足した状態で、前記メモリに記録する情報を取得するチャンネルの選択を要求するための操作メニューを表示する表示手段と、
前記表示手段で表示された操作メニューの操作に基づいて選択されたチャンネルに対して、該チャンネルから取得される情報を記録するための領域を前記メモリに割り当てる情報割り当て手段とを具備したことを特徴とする放送受信装置。
【請求項３】
初期スキャンを要求する操作に基づいて複数のチャンネルを順次切り替えて受信することにより、放送を受信可能なチャンネルを検出する初期検出手段と、
この初期検出手段で検出されたチャンネルを、予め設定された数の選局ポジションに割り当てる初期割り当て手段と、
この初期割り当て手段に基づいて前記選局ポジションにチャンネルが割り当てられている状態で、再スキャンを要求する操作に基づいて複数のチャンネルを順次切り替えて受信することにより、放送を受信可能なチャンネルを検出する再検出手段と、
前記選局ポジションに対するチャンネルの割り当てを保持し、前記再検出手段で検出されたチャンネルを前記選局ポジションのうちチャンネルの割り当てられていない空きポジションに割り当てる保持割り当て手段と、
受信したチャンネルから放送受信装置毎に個別の情報を取得してメモリに記録する記録手段と、
前記メモリに情報を記録されたチャンネルの数が所定数よりも不足した状態で、前記メモリに記録する情報を取得するチャンネルの選択を要求するための操作メニューを表示する表示手段と、
前記表示手段で表示された操作メニューの操作に基づいて選択されたチャンネルに対して、該チャンネルから取得される情報を記録するための領域を前記メモリに割り当てる情報割り当て手段とを具備したことを特徴とする放送受信装置。
【請求項４】
初期スキャンを要求する操作に基づいて複数のチャンネルを順次切り替えて受信することにより、放送を受信可能なチャンネルを検出する初期検出手段と、
この初期検出手段で検出されたチャンネルを、予め設定された数の選局ポジションに割り当てる初期割り当て手段と、
この初期割り当て手段に基づいて前記選局ポジションにチャンネルが割り当てられている状態で、再スキャンを要求する操作に基づいて複数のチャンネルを順次切り替えて受信することにより、放送を受信可能なチャンネルを検出する再検出手段と、
前記選局ポジションに対するチャンネルの割り当てのリセットを要求する操作に基づいて、前記選局ポジションに対するチャンネルの割り当てをリセットし、前記再検出手段で検出されたチャンネルを前記選局ポジションに割り当てるリセット割り当て手段と、
前記選局ポジションに対するチャンネルの割り当ての保持を要求する操作に基づいて、前記選局ポジションに対するチャンネルの割り当てを保持し、前記再検出手段で検出されたチャンネルを前記選局ポジションのうちチャンネルの割り当てられていない空きポジションに割り当てる保持割り当て手段と、
受信したチャンネルから放送受信装置毎に個別の情報を取得してメモリに記録する記録手段と、
前記メモリに情報を記録されたチャンネルの数が所定数よりも不足した状態で、前記メモリに記録する情報を取得するチャンネルの選択を要求するための操作メニューを表示する表示手段と、
前記表示手段で表示された操作メニューの操作に基づいて選択されたチャンネルに対して、該チャンネルから取得される情報を記録するための領域を前記メモリに割り当てる情報割り当て手段とを具備したことを特徴とする放送受信装置。
【請求項５】
チャンネル割り当ての変更を要求する操作に基づいて、前記チャンネルの前記選局ポジションへの割り当てを変更するための操作メニューを表示する操作メニュー表示手段を具備したことを特徴とする請求項１乃至４いずれかに記載の放送受信装置。
【請求項６】
前記放送は地上デジタル放送であり、前記チャンネルの前記選局ポジションへの割り当ては、域内放送のチャンネルを域外放送のチャンネルに優先させて割り当てることを特徴とする請求項１乃至５いずれかに記載の放送受信装置。
【請求項７】
自動スキャンが要求されている状態で、スキャン動作を開始する特定のタイミングに達したとき、自動的に複数のチャンネルを順次切り替えて受信することにより、放送を受信可能なチャンネルを検出してチャンネルリストを作成する検出手段と、
この検出手段で検出されたチャンネルを予め設定された数の選局ポジションに割り当てる割り当て手段と、
前記検出手段で作成されたチャンネルリストに、前回作成されたチャンネルリストに対して変更があった場合に通知する変更通知手段と、
受信したチャンネルから放送受信装置毎に個別の情報を取得してメモリに記録する記録手段と、
前記メモリに情報を記録されたチャンネルの数が所定数よりも不足した場合に通知する不足通知手段と、
自動スキャンをするかしないかを選択するための操作メニューを表示する表示手段とを具備したことを特徴とする放送受信装置。
【請求項８】
チャンネル割り当ての変更を要求する操作に基づいて、前記チャンネルの前記選局ポジションへの割り当てを変更するための操作メニューを表示する操作メニュー表示手段を具備したことを特徴とする請求項７記載の放送受信装置。
【請求項９】
前記放送は地上デジタル放送であり、前記チャンネルの前記選局ポジションへの割り当ては、域内放送のチャンネルを域外放送のチャンネルに優先させて割り当てることを特徴とする請求項７または８記載の放送受信装置。
【請求項１０】
特定のチャンネルが所定数の選局ポジションに割り当てられている状態で、再スキャンを要求する操作に基づいて複数のチャンネルを順次切り替えて受信することにより、放送を受信可能なチャンネルを検出する工程と、
前記選局ポジションに対するチャンネルの割り当てのリセット、または、前記選局ポジションに対するチャンネルの割り当ての保持を選択するための操作メニューを表示する工程と、
前記選局ポジションに対するチャンネルの割り当てのリセットが選択された状態で、前記選局ポジションに対する前記特定のチャンネルの割り当てをリセットし、検出されたチャンネルを前記選局ポジションに割り当てる工程と、
前記選局ポジションに対するチャンネルの割り当ての保持が選択された状態で、前記選局ポジションに対する前記特定のチャンネルの割り当てを保持し、検出されたチャンネルを前記選局ポジションのうちチャンネルの割り当てられていない空きポジションに割り当てる工程と、
受信したチャンネルから放送受信装置毎に個別の情報を取得してメモリに記録する工程と、
前記メモリに情報を記録されたチャンネルの数が所定数よりも不足した状態で、前記メモリに記録する情報を取得するチャンネルの選択を要求するための操作メニューを表示する工程と、
表示された操作メニューの操作に基づいて選択されたチャンネルに対して、該チャンネルから取得される情報を記録するための領域を前記メモリに割り当てる工程とを具備したことを特徴とする放送受信方法。
【請求項１１】
初期スキャンを要求する操作に基づいて複数のチャンネルを順次切り替えて受信することにより、放送を受信可能なチャンネルを検出する工程と、
検出されたチャンネルを予め設定された数の選局ポジションに割り当てる工程と、
前記選局ポジションにチャンネルが割り当てられている状態で、再スキャンを要求する操作に基づいて複数のチャンネルを順次切り替えて受信することにより、放送を受信可能なチャンネルを再検出する工程と、
前記選局ポジションに対するチャンネルの割り当てをリセットし、前記再検出されたチャンネルを前記選局ポジションに割り当てる工程と、
受信したチャンネルから放送受信装置毎に個別の情報を取得してメモリに記録する工程と、
前記メモリに情報を記録されたチャンネルの数が所定数よりも不足した状態で、前記メモリに記録する情報を取得するチャンネルの選択を要求するための操作メニューを表示する工程と、
表示された操作メニューの操作に基づいて選択されたチャンネルに対して、該チャンネルから取得される情報を記録するための領域を前記メモリに割り当てる工程とを具備したことを特徴とする放送受信方法。
【請求項１２】
初期スキャンを要求する操作に基づいて複数のチャンネルを順次切り替えて受信することにより、放送を受信可能なチャンネルを検出する工程と、
検出されたチャンネルを予め設定された数の選局ポジションに割り当てる工程と、
前記選局ポジションにチャンネルが割り当てられている状態で、再スキャンを要求する操作に基づいて複数のチャンネルを順次切り替えて受信することにより、放送を受信可能なチャンネルを再検出する工程と、
前記選局ポジションに対するチャンネルの割り当てを保持し、前記再検出されたチャンネルを前記選局ポジションのうちチャンネルの割り当てられていない空きポジションに割り当てる工程と、
受信したチャンネルから放送受信装置毎に個別の情報を取得してメモリに記録する工程と、
前記メモリに情報を記録されたチャンネルの数が所定数よりも不足した状態で、前記メモリに記録する情報を取得するチャンネルの選択を要求するための操作メニューを表示する工程と、
表示された操作メニューの操作に基づいて選択されたチャンネルに対して、該チャンネルから取得される情報を記録するための領域を前記メモリに割り当てる工程とを具備したことを特徴とする放送受信方法。
【請求項１３】
初期スキャンを要求する操作に基づいて複数のチャンネルを順次切り替えて受信することにより、放送を受信可能なチャンネルを検出する工程と、
検出されたチャンネルを予め設定された数の選局ポジションに割り当てる工程と、
前記選局ポジションにチャンネルが割り当てられている状態で、再スキャンを要求する操作に基づいて複数のチャンネルを順次切り替えて受信することにより、放送を受信可能なチャンネルを再検出する工程と、
前記選局ポジションに対するチャンネルの割り当てのリセット、または、前記選局ポジションに対するチャンネルの割り当ての保持を選択するための操作メニューを表示する工程と、
前記選局ポジションに対するチャンネルの割り当てのリセットが選択された状態で、前記選局ポジションに対する前記特定のチャンネルの割り当てをリセットし、前記再検出されたチャンネルを前記選局ポジションに割り当てる工程と、
前記選局ポジションに対するチャンネルの割り当ての保持が選択された状態で、前記選局ポジションに対する前記特定のチャンネルの割り当てを保持し、前記再検出されたチャンネルを前記選局ポジションのうちチャンネルの割り当てられていない空きポジションに割り当てる工程と、
受信したチャンネルから放送受信装置毎に個別の情報を取得してメモリに記録する工程と、
前記メモリに情報を記録されたチャンネルの数が所定数よりも不足した状態で、前記メモリに記録する情報を取得するチャンネルの選択を要求するための操作メニューを表示する工程と、
表示された操作メニューの操作に基づいて選択されたチャンネルに対して、該チャンネルから取得される情報を記録するための領域を前記メモリに割り当てる工程とを具備したことを特徴とする放送受信方法。
【請求項１４】
自動スキャンが要求されている状態で、スキャン動作を開始する特定のタイミングに達したとき、自動的に複数のチャンネルを順次切り替えて受信することにより、放送を受信可能なチャンネルを検出してチャンネルリストを作成する工程と、
検出されたチャンネルを予め設定された数の選局ポジションに割り当てる工程と、
作成されたチャンネルリストに前回作成されたチャンネルリストに対して変更があった場合に通知する工程と、
受信したチャンネルから放送受信装置毎に個別の情報を取得してメモリに記録する工程と、
前記メモリに情報を記録されたチャンネルの数が所定数よりも不足した場合に通知する工程と、
自動スキャンをするかしないかを選択するための操作メニューを表示する工程とを具備したことを特徴とする放送受信方法。
【発明の詳細な説明】
【技術分野】
【０００１】
この発明は、特に地上デジタル放送の受信に好適する放送受信装置及び放送受信方法に関する。
【背景技術】
【０００２】
周知のように、近年では、テレビジョン放送のデジタル化が推進されてきている。そして、日本国内においては、ＢＳ（Broadcasting Satellite）デジタル放送及び１１０度ＣＳ（Communication Satellite）デジタル放送等の衛星デジタル放送だけでなく、地上デジタル放送も開始される運びとなっている。
【０００３】
この地上デジタル放送は、現行の地上アナログ放送の基盤を前提としているため、チャンネルをダイレクト選局するためのワンタッチ選局キーの数を１２個とする１２ポジションの概念や、日本全国を複数の地域に分割して各地域毎に放送局を設置する地域単位の概念が、その運用規定に盛り込まれている。
【０００４】
そして、各地域に存在する放送局は、番組情報とともに、自己の放送がどの地域向けの放送であるかを示す制御情報（地域識別）や、自己の放送チャンネルを１２ポジションのうちのどのポジションに割り当てるかを指定する制御情報（remote_control_key_id）等を送信している。
【０００５】
一方、ユーザは、購入した地上デジタル放送対応の放送受信機を自宅に設置した後、放送受信機に自己の居住地域を設定する。これにより、放送受信機は、ＵＨＦ（Ultra High Frequency）帯物理チャンネルを順番にスキャンして、受信可能な地上デジタル放送の放送局を検出する。
【０００６】
この場合、放送受信機は、チャンネルスキャンによって検出した放送局から送出される地域識別情報に基づいて、その放送局からの放送が、ユーザの居住地域向けの放送（域内放送）であるか、あるいは、ユーザの居住地域外の放送（域外放送）であるかを判別することができる。
【０００７】
そして、ユーザの居住地域向けの放送（域内放送）である場合、放送受信機は、リモートコントローラに設置された１２個のワンタッチ選局キーのうち、その放送局から送出されるremote_control_key_idで指定されたポジションのキーに、その放送局のチャンネルを割り当てる。
【０００８】
これにより、リモートコントローラの各ワンタッチ選局キーに、各放送局のチャンネルをそれぞれ対応させて設定することができる。このようにチャンネル設定された後は、ユーザがリモートコントローラの所望のワンタッチ選局キーを操作するだけで、そのキーに対応したチャンネルの放送局が選局されることになる。
【０００９】
ところで、この地上デジタル放送は、まず、２００３年に特定の都市において所定数の放送局により開始される。そして、今後、新たな放送局が順次開局されたり、中継局が増設や変更されたりしていくことによって、チャンネル数の増加や放送地域の拡大等が行なわれる見込みとなっている。
【００１０】
この場合、ユーザは、新規に放送局が開局されたり、中継局が増加や変更される毎に、放送受信機に対して、チャンネルスキャンによって受信できる放送局の検出をやり直し、さらに、その放送局のチャンネルをワンタッチ選局キーに割り当てる操作を行なう必要が生じる。
【００１１】
また、既にワンタッチ選局キーに割り当てられている放送局のチャンネルが、中継局の新設、または、既存の中継局の切り替え等によって変更されることもある。このような場合、ユーザは、その中継局によって変更されたチャンネルを、ワンタッチ選局キーに割り当てし直す必要が生じる。
【００１２】
さらに、上記した域内放送は、１つの県を放送対象とした県域放送と、複数の県を放送対象とした広域放送とに分かれている。そして、地上デジタル放送の運用規定では、受信した放送局のチャンネルに対して、県域放送、広域放送及び域外放送の順で優先的に１２個のワンタッチ選局キーに割り当てるように規定している。
【００１３】
この場合、今まで広域放送として受信していた放送が、中継局が新設されることによって、県域放送として受信可能になることもある。このときにも、中継局の新設によってチャンネルが変更された場合、ユーザは、その中継局によって変更されたチャンネルを、ワンタッチ選局キーに割り当てし直す必要が生じる。
【００１４】
特許文献１には、地上デジタル放送波のチャンネルを順次切り替えて各放送局の放送局情報を取得することにより、放送システムの状態の変化に対応するようにした構成が開示されている。しかしながら、この特許文献１では、上記した放送局や中継局の増設に伴なう種々の問題に、実用的なレベルで対処しているとは言えないものである。
【特許文献１】特開２００３−１６３８４９号公報
【発明の開示】
【発明が解決しようとする課題】
【００１５】
そこで、この発明は上記事情を考慮してなされたもので、放送局や中継局の増設、切り替え等に伴なうチャンネルの追加、変更に対して適応的に対応したチャンネルスキャンを行なうことができ、ユーザにとっての使い勝手を向上させ実用に好適する放送受信装置及び放送受信方法を提供することを目的とする。
【課題を解決するための手段】
【００１６】
この発明に係る放送受信装置は、特定のチャンネルが所定数の選局ポジションに割り当てられている状態で、再スキャンを要求する操作に基づいて複数のチャンネルを順次切り替えて受信することにより、放送を受信可能なチャンネルを検出する検出手段と、選局ポジションに対するチャンネルの割り当てのリセットを要求する操作に基づいて、選局ポジションに対する特定のチャンネルの割り当てをリセットし、検出手段で検出されたチャンネルを選局ポジションに割り当てるリセット割り当て手段と、選局ポジションに対するチャンネルの割り当ての保持を要求する操作に基づいて、選局ポジションに対する特定のチャンネルの割り当てを保持し、検出手段で検出されたチャンネルを選局ポジションのうちチャンネルの割り当てられていない空きポジションに割り当てる保持割り当て手段と、受信したチャンネルから放送受信装置毎に個別の情報を取得してメモリに記録する記録手段と、メモリに情報を記録されたチャンネルの数が所定数よりも不足した状態で、メモリに記録する情報を取得するチャンネルの選択を要求するための操作メニューを表示する表示手段と、表示手段で表示された操作メニューの操作に基づいて選択されたチャンネルに対して、該チャンネルから取得される情報を記録するための領域を前記メモリに割り当てる情報割り当て手段とを備えるようにしたものである。
【００１７】
また、この発明に係る放送受信方法は、特定のチャンネルが所定数の選局ポジションに割り当てられている状態で、再スキャンを要求する操作に基づいて複数のチャンネルを順次切り替えて受信することにより、放送を受信可能なチャンネルを検出する工程と、選局ポジションに対するチャンネルの割り当てのリセット、または、選局ポジションに対するチャンネルの割り当ての保持を選択するための操作メニューを表示する工程と、選局ポジションに対するチャンネルの割り当てのリセットが選択された状態で、選局ポジションに対する特定のチャンネルの割り当てをリセットし、検出されたチャンネルを選局ポジションに割り当てる工程と、選局ポジションに対するチャンネルの割り当ての保持が選択された状態で、選局ポジションに対する特定のチャンネルの割り当てを保持し、検出されたチャンネルを選局ポジションのうちチャンネルの割り当てられていない空きポジションに割り当てる工程と、受信したチャンネルから放送受信装置毎に個別の情報を取得してメモリに記録する工程と、メモリに情報を記録されたチャンネルの数が所定数よりも不足した状態で、メモリに記録する情報を取得するチャンネルの選択を要求するための操作メニューを表示する工程と、表示された操作メニューの操作に基づいて選択されたチャンネルに対して、該チャンネルから取得される情報を記録するための領域を前記メモリに割り当てる工程とを備えるようにしたものである。
【発明の効果】
【００１８】
上記した発明によれば、受信可能なチャンネルの検出を行なった状態で、既に選局ポジションに割り当てられているチャンネルをリセットするか保持するかを選択できるようにしたので、放送局や中継局の増設、切り替え等に伴なうチャンネルの追加、変更に対して適応的に対応したチャンネルスキャンを行なうことができ、ユーザにとっての使い勝手を向上させ実用に好適するものとなる。
【００１９】
また、各チャンネルから個別に取得される情報を記録するメモリに割り当てられるチャンネルの数が不足した場合、メモリに割り当てるチャンネルを選択させる操作メニューを表示させるようにしたので、個別情報が不所望に消去されることが防止され、このような点でも、チャンネルの追加、変更に対して適応的に対応する実用に適したチャンネルスキャンを行なうことができる。
【発明を実施するための最良の形態】
【００２０】
以下、この発明の実施の形態について図面を参照して詳細に説明する。図１は、この実施の形態で説明するデジタル放送受信機の信号処理系を示している。すなわち、地上デジタル放送用アンテナ１１で受信された放送信号は、地上放送用チューナ１２に供給されて指定されたチャンネルの信号が選局される。
【００２１】
この地上放送用チューナ１２で選局された信号は、復調回路１３に供給されることにより、復調処理、エラー訂正処理及び必要に応じてスクランブル解除処理等が施された後、入力信号のビットストリームに含まれる識別情報ＩＤに基づいてＴＳ（Transport Stream）パケットに分離される。
【００２２】
そして、この復調回路１３から出力されたＴＳパケットは、ＴＳプロセッサ１４に供給される。このＴＳプロセッサ１４は、まず、入力されたＴＳパケットからＳＩ（Service Information）情報の番組情報を分離すると、これらの番組情報をコントロール制御回路１５に供給する。
【００２３】
また、このＴＳプロセッサ１４は、入力されたＴＳパケットから、ユーザが視聴することを要求した映像信号及び音声信号に対応するＴＳパケットを分離し、ＭＰＥＧ（Moving Picture Eaperts Group）デコーダ１６に出力している。
【００２４】
このＭＰＥＧデコーダ１６は、入力されたＴＳパケットに復号化処理を施してデジタル映像信号及びデジタル音声信号を生成する。このうち、デジタル映像信号は、ＯＳＤ（On Screen Display）回路１７に供給されて、ＴＳプロセッサ１４から取得したＳＩ情報に基づいてコントロール制御回路１５が生成するＯＳＤ信号が重畳される。
【００２５】
そして、このＯＳＤ回路１７から出力されたデジタル映像信号が、映像用のＤ／Ａ（Digital／Analog）変換回路１８に供給されてアナログ映像信号に変換された後、モニタ１９に供給されて映像表示される。
【００２６】
また、上記ＭＰＥＧデコーダ１６から出力されるデジタル音声信号は、音声用のＤ／Ａ変換回路２０に供給されてアナログ音声信号に変換された後、スピーカ２１に供給されて音声再生される。
【００２７】
一方、衛星デジタル放送用アンテナ２２は、ＢＳデジタル放送及び１１０度ＣＳデジタル放送等の衛星デジタル放送を受信する。この衛星デジタル放送用アンテナ２２で受信された放送信号は、衛星放送用チューナ２３に供給されて指定されたチャンネルの信号が選局される。
【００２８】
この衛星放送用チューナ２３で選局された信号は、復調回路２４に供給されることにより、復調処理、エラー訂正処理及び必要に応じてスクランブル解除処理等が施された後、ＴＳパケットに変換される。そして、このＴＳパケットが、ＴＳプロセッサ１４に供給されて、以後、地上デジタル放送と同様に映像表示及び音声再生に供される。
【００２９】
ここで、このデジタル放送受信機は、その全ての動作を、コントロール制御回路１５によって統括的に制御されている。このコントロール制御回路１５は、マイクロコンピュータ等を内蔵しており、リモートコントローラ２５から送出される操作情報を受信し、その操作内容が反映されるように各回路部をそれぞれ制御している。
【００３０】
なお、このコントロール制御回路２５には、メモリ部２６が接続されている。このメモリ部２６は、コントロール制御回路２５が実行する制御プログラムを格納した読み出し専用メモリ、コントロール制御回路２５に作業エリアを提供する読み出し書き込みメモリ、各種の設定値、リスト及びテーブル等が格納される不揮発性メモリ等を含んでいる。
【００３１】
図２は、上記リモートコントローラ２５の外観を示している。このリモートコントローラ２５には、主として、電源キー２７、ワンタッチ選局キー群２８、受信モード切替キー群２９、チャンネルアップダウンキー３０、音量調整キー３１、戻るキー３２、移動キー３３、決定キー３４及びメニューキー３５等が設置されている。このうち、ワンタッチ選局キー群２８は、「１」〜「１２」の番号が付された１２個のワンタッチ選局キーで構成されている。
【００３２】
図３は、上記ＳＩ情報の中のサービス識別情報（１６ビット）を示している。このサービス識別情報は、６ビットの地域識別情報、１ビットの県複フラグ、２ビットのサービス種別情報、４ビットの地域事業者識別情報及び３ビットのサービス情報とから構成されている。
【００３３】
ここで、地域識別情報は、県域放送であるか広域放送であるかを指定する情報である。県複フラグは、県複放送局がある場合「１」となる。また、サービス種別情報は、「０」テレビ型、「１」／「２」データ型（部分受信サービスを除く）、「３」データ型（部分受信サービス）である。なお、部分受信サービスとは、携帯型受信機向けのデータ放送サービスである。地域事業者識別情報は、地域識別毎に定義される放送事業者の識別情報である。サービス情報は、０〜７を放送事業者毎に指定が可能である。
【００３４】
次に、地上デジタル放送におけるチャンネルスキャンについて説明する。このチャンネルスキャンには、初期スキャン、再スキャン及び自動スキャンの３種類がある。初期スキャンは、例えば、新規に購入して、または、引っ越し等を行なった後に、家屋内の所定の位置に設置されたデジタル放送受信機に居住地域の設定を行なった状態で、ユーザの要求に基づいて行なわれる。
【００３５】
また、再スキャンは、地上デジタル放送で新たに放送局が開局したり、中継局が新設されたりしてチャンネルが増える等、放送に変更があった場合に行なうことにより、チャンネルを自動的に追加割り当てするもので、既に初期スキャンが行なわれている状態で、ユーザの要求に基づいて行なわれる。
【００３６】
自動スキャンは、予め設定された特定のタイミングに達したとき、例えば、デジタル放送受信機の電源待機時、デジタル放送受信機が番組の受信動作を行なっていない状態が所定時間継続したとき、または、所定の周期毎に、自動的にチャンネルのスキャンを行ない、放送局の開局や中継局の変更等、放送の変更が見つかったときに、チャンネル割り当ての内容を自動的に変更する。
【００３７】
初期スキャン、再スキャン及び自動スキャンの要求は、上記リモートコントローラ２５の操作によって行なわれる。すなわち、リモートコントローラ２５のメニューキー３５の操作に基づいて、コントロール制御回路１５は、モニタ１９に、図４に示すような、スキャン選択メニューを表示させる。
【００３８】
このスキャン選択メニューには、「初期スキャン」の項目３６ａと、「再スキャン」の項目３６ｂと、「自動スキャン」の項目３６ｃとが表示される。そして、リモートコントローラ２５の移動キー３３でいずれかの項目３６ａ〜３５ｃを選択し、決定キー３４を操作することにより、ユーザが初期スキャン、再スキャン及び自動スキャンを選択的に要求することができる。
【００３９】
また、このスキャン選択メニューには、「説明」の項目３６ｄも表示される。この項目３６ｄには、移動キー３３によって選択されている「初期スキャン」、「再スキャン」または「自動スキャン」の項目３６ａ〜３６ｃについての説明が表示される。
【００４０】
図５及び図６は、初期スキャンにおいて、地上デジタル放送の受信可能なチャンネルを検索し、検索されたチャンネルをワンタッチ選局キー群２８の１２個のワンタッチ選局キーに割り当てる動作を示している。
【００４１】
すなわち、ユーザが、デジタル放送受信機に居住地域の設定を行なった状態で処理が開始（ステップＳ１）され、ステップＳ２で、スキャン選択メニューにより初期スキャンが要求されたとする。すると、コントロール制御回路１５は、ステップＳ３で、地上放送用チューナ１２のフロントエンド部がロック状態になったか否かを判別する。
【００４２】
そして、地上放送用チューナ１２のフロントエンド部がロック状態になったと判断された場合（ＹＥＳ）、コントロール制御回路１５は、ステップＳ４で、受信信号のＣ／Ｎ（Carrier to Noise Ratio）が所定値以上か否かを判別し、所定値以上であると判断された場合（ＹＥＳ）、ステップＳ５で、受信確認を行ない、そのチャンネルを受信可能な放送局が存在するチャンネルとしてメモリ部２６の不揮発性メモリに記録する。
【００４３】
このステップＳ５の後、または、上記ステップＳ３で地上放送用チューナ１２のフロントエンド部がロック状態になっていないと判断された場合（ＮＯ）、または、上記ステップＳ４で受信信号のＣ／Ｎが所定値未満であると判断された場合（ＮＯ）、コントロール制御回路１５は、ステップＳ６で、チャンネルスキャンの最終チャンネルであったか否かを判別し、最終チャンネルでないと判断された場合（ＮＯ）、ステップＳ７で、次の受信チャンネルに更新してステップＳ３の処理に戻される。
【００４４】
また、上記ステップＳ６で最終チャンネルであったと判断された場合（ＹＥＳ）、コントロール制御回路１５は、ステップＳ８で、不揮発性メモリに記録されたチャンネルに基づいて、受信可能な放送局のチャンネルリストを作成する。このチャンネルリストは、不揮発性メモリに記録される。
【００４５】
その後、コントロール制御回路１５は、ステップＳ９で、チャンネルリストの各チャンネルをワンタッチ選局キー群２８の１２個のワンタッチ選局キーにそれぞれ割り当て、ステップＳ１０で、不揮発性メモリ内に設定されたデータ放送用記録領域に割り当てられる放送局の数が不足しているか否かを判別する。
【００４６】
すなわち、地上デジタル放送においては、各放送局毎に視聴者の個人情報（例えば、視聴ポイント数等）を利用したサービスが行なわれる場合があり、このデジタル放送受信機では、その個人情報を、放送局（チャンネル）毎に、メモリ部２６の不揮発性メモリ内に設定されたデータ放送用記録領域に記録させている。
【００４７】
このデータ放送用記録領域は、例えば、２１個の放送局について割り当てが可能な容量を有している。なお、ワンタッチ選局キー（１）〜（１２）にそれぞれ割り当てられている１２の放送局については、自動的にデータ放送用記録領域が割り当てられるようになされている。
【００４８】
通常の受信環境では、データ放送用記録領域に割り当てられる放送局の数は一般的に足りるものと想定できるが、例えば、引っ越し等で、以前に受信していた放送局の割り当てが残っているような場合には、受信可能な放送局の数がデータ放送用記録領域に割り当てられる放送局の数を越えてしまうことがある。
【００４９】
そして、上記ステップＳ１０でデータ放送用記録領域に割り当てられる放送局の数が不足していないと判断された場合（ＮＯ）、コントロール制御回路１５は、そのまま初期スキャン動作を終了（ステップＳ１１）する。
【００５０】
また、上記ステップＳ１０でデータ放送用記録領域に割り当てられる放送局の数が不足していると判断された場合（ＹＥＳ）、コントロール制御回路１５は、ステップＳ１２で、詳細は後述するが、ユーザにデータ放送用記録領域に割り当てる放送局を選択させて、初期スキャン動作を終了（ステップＳ１１）する。
【００５１】
なお、チャンネルのワンタッチ選局キーヘの割り当ては、前述したように、県域放送、広域放送及び域外放送の順で優先的に行なわれる。また、県複放送の場合は、複数の県複放送局のremote_control_key_idが全て同じであるため、受信条件の最も良い放送局が優先的に割り当てられる。さらに、域外放送では、地域識別情報、地域事業者識別情報の順で割り当てに供する。
【００５２】
また、チャンネルスキャンは、通常、ＵＨＦ１３チャンネルからＵＨＦ６２チャンネルまでの５０チャンネルに対して行なわれるが、共聴設備等を考慮した場合、ＶＨＦ（Very High Frequency）１チャンネルからＶＨＦ１２チャンネル、ＵＨＦ１３チャンネルからＵＨＦ６２チャンネル、ＣＡＴＶ（Cable Television）１３チャンネルからＣＡＴＶ６３チャンネルまでの全１１３チャンネルを対象とする場合も考えられるため、ユーザインターフェース等によって選択可能としておくことが有効である。
【００５３】
図７及び図８は、再スキャンにおいて、地上デジタル放送の受信可能なチャンネルを検索し、検索されたチャンネルをワンタッチ選局キー群２８の１２個のワンタッチ選局キーに割り当てる動作を示している。
【００５４】
まず、既に初期スキャンが終了している状態で処理が開始（ステップＳ１３）され、ステップＳ１４で、スキャン選択メニューにより再スキャンが要求されたとする。すると、コントロール制御回路１５は、ステップＳ１５で、地上放送用チューナ１２のフロントエンド部がロック状態になったか否かを判別する。
【００５５】
そして、地上放送用チューナ１２のフロントエンド部がロック状態になったと判断された場合（ＹＥＳ）、コントロール制御回路１５は、ステップＳ１６で、受信信号のＣ／Ｎが所定値以上か否かを判別し、所定値以上であると判断された場合（ＹＥＳ）、ステップＳ１７で、受信確認を行ない、そのチャンネルを受信可能な放送局が存在するチャンネルとしてメモリ部２６の不揮発性メモリに記録する。
【００５６】
このステップＳ１７の後、または、上記ステップＳ１５で地上放送用チューナ１２のフロントエンド部がロック状態になっていないと判断された場合（ＮＯ）、または、上記ステップＳ１６で受信信号のＣ／Ｎが所定値未満であると判断された場合（ＮＯ）、コントロール制御回路１５は、ステップＳ１８で、チャンネルスキャンの最終チャンネルであったか否かを判別し、最終チャンネルでないと判断された場合（ＮＯ）、ステップＳ１９で、次の受信チャンネルに更新してステップＳ１５の処理に戻される。
【００５７】
また、上記ステップＳ１８で最終チャンネルであったと判断された場合（ＹＥＳ）、コントロール制御回路１５は、ステップＳ２０で、不揮発性メモリに記録されたチャンネルに基づいて、既に不揮発性メモリに記録されているチャンネルリストの内容を更新する。
【００５８】
その後、コントロール制御回路１５は、ステップＳ２１で、更新されたチャンネルリストの各チャンネルをワンタッチ選局キー群２８の１２個のワンタッチ選局キーにそれぞれ割り当てる際の割り当て方法選択メニューをモニタ１９に表示させる。
【００５９】
この割り当て方法選択メニューには、図９に示すように、「スキャンした放送局のチャンネルを、ワンタッチ選局キー（１〜１２）に割り当てます。割り当て方法を選んで下さい。」というメッセージとともに、「割り当て内容をリセット」の項目３７ａと、「割り当て内容を保持」の項目３７ｂとが表示される。
【００６０】
そして、リモートコントローラ２５の移動キー３３でいずれかの項目３７ａ，３７ｂを選択し、決定キー３４を操作することにより、ユーザが「割り当て内容をリセット」と、「割り当て内容を保持」とを選択的に要求することができる。
【００６１】
また、この割り当て方法選択メニューには、「説明」の項目３７ｃも表示される。この項目３７ｃには、移動キー３３によって選択されている「割り当て内容をリセット」または「割り当て内容を保持」の項目３７ａ，３７ｂについての説明が表示される。
【００６２】
このため、コントロール制御回路１５は、ステップＳ２２で、割り当て内容のリセットが要求されたか保持が要求されたかを判別し、リセットが要求されたと判断された場合、ステップＳ２３で、現在のワンタッチ選局キーに対するチャンネルの割り当てを全てリセットして、更新されたチャンネルリストの各チャンネルをワンタッチ選局キーにそれぞれ割り当てるように動作する。
【００６３】
また、上記ステップＳ２２で割り当て内容の保持が要求されたと判断された場合、コントロール制御回路１５は、ステップＳ２４で、現在のワンタッチ選局キーに対するチャンネルの割り当てをそのまま保持して、更新されたチャンネルリスト内の新規なチャンネルを、空きのあるワンタッチ選局キーにそれぞれ割り当てるように動作する。
【００６４】
なお、上記ステップＳ２３またはステップＳ２４におけるチャンネルのワンタッチ選局キーヘの割り当ては、初期スキャンの場合と同様の優先順位を持って行なわれる。
【００６５】
そして、上記ステップＳ２３またはＳ２４の後、コントロール制御回路１５は、ステップＳ２５で、不揮発性メモリ内に設定されたデータ放送用記録領域に割り当てられる放送局の数が不足しているか否かを判別し、データ放送用記録領域に割り当てられる放送局の数が不足していないと判断された場合（ＮＯ）、コントロール制御回路１５は、そのまま再スキャン動作を終了（ステップＳ２６）する。
【００６６】
また、上記ステップＳ２５でデータ放送用記録領域に割り当てられる放送局の数が不足していると判断された場合（ＹＥＳ）、コントロール制御回路１５は、ステップＳ２７で、ユーザにデータ放送用記録領域に割り当てる放送局を選択させて、再スキャン動作を終了（ステップＳ２６）する。
【００６７】
このステップＳ２７の処理を実現するために、コントロール制御回路１５は、ステップＳ２５でデータ放送用記録領域に割り当てられる放送局の数が不足していると判別した場合、データ放送用記録領域に割り当てる放送局をユーザに選択させるためのデータ放送選択メニューをモニタ１９に表示させる。
【００６８】
このデータ放送選択メニューには、図１０に示すように、「メモリに割り当てる放送局を９個選んで下さい。」というメッセージとともに、ワンタッチ選局キーに割り当てられた全ての放送局のリストが表示される。このリストには、選局キーの番号、放送局名、受信状態及び選局キーへの割り当ての有無等が表示されている。
【００６９】
この場合、ワンタッチ選局キー（１）〜（１２）にはそれぞれ放送局が割り当てられており、これらの放送局については、自動的にデータ放送用記録領域に割り当てが行なわれるため、残りの９個をユーザが選択することとなる。
【００７０】
データ放送用記録領域に割り当てる放送局の選択は、リモートコントローラ２５の移動キー３３で所定の放送局を選択し、決定キー３４を操作することにより行なわれる。割り当てられた放送局の欄には、左端に「レ」印が付される。また、データ放送選択メニューには、選択した放送局の数を示す項目３８ａも表示されている。
【００７１】
なお、このデータ放送用記録領域に割り当てられていない放送局の個人情報は，全て消去される。また、図１０に示したデータ放送選択メニューは、図６のステップＳ１０において、データ放送用記録領域に割り当てられる放送局の数が不足していると判別された場合（ＹＥＳ）にも表示され、ステップＳ１２の処理を実現することができる。
【００７２】
上記した再スキャンによれば、現在のチャンネル割り当てを全てリセットし、更新されたチャンネルリストの各チャンネルをワンタッチ選局キーにそれぞれ割り当てる動作と、現在のチャンネル割り当てをそのまま保持して、更新されたチャンネルリスト内の新規なチャンネルを、空きのあるワンタッチ選局キーにそれぞれ割り当てる動作とを、ユーザが選択できるようにしたので、放送局や中継局の増設、切り替え等に伴なうチャンネルの追加、変更に対して適応的に対応したチャンネルスキャンを行なうことが可能となる。
【００７３】
また、各放送局が個別に与える個人情報を記録しておくデータ放送用記録領域に割り当てられる放送局の数が不足になった場合、データ放送選択メニューを表示させてユーザにデータ放送用記録領域に割り当てる放送局を選択させるようにしたので、個人情報が不所望に消去されることが防止され、このような点でも、チャンネルの追加、変更に対して適応的に対応する実用に適したチャンネルスキャンを行なうことができる。
【００７４】
ここで、再スキャン後に、ワンタッチ選局キーに対するチャンネルの割り当てを、ユーザが手動操作で変更することも可能である。このようなチャンネル割り当ての手動操作による変更が要求されると、コントロール制御回路１５は、チャンネル割り当てメニューをモニタ１９に表示させる。
【００７５】
このチャンネル割り当てメニューは、図１１に示すように、再スキャンによって割り当てられたワンタッチ選局キーとチャンネルとの対応を示す選局テーブルと、更新されたチャンネルリストとを表示する。
【００７６】
そして、チャンネルの割り当ては、リモートコントローラ２５の移動キー３３及び決定キー３４等を順次操作することにより、チャンネルリストから所望のチャンネルを選択し、選局テーブルから変更したいチャンネルを選局した後、両チャンネルを入れ替えることによって行なわれる。
【００７７】
なお、このような手動操作によるチャンネル割り当ては、上述したように、再スキャン後だけに限らず、初期スキャンの後、または、後述する自動スキャンの後に行なうことも可能である。
【００７８】
図１２及び図１３は、自動スキャンにおいて、地上デジタル放送の受信可能なチャンネルを検索し、検索されたチャンネルをワンタッチ選局キー群２８の１２個のワンタッチ選局キーに割り当てる動作を示している。
【００７９】
まず、自動スキャンが要求されている状態で処理が開始（ステップＳ２８）され、ステップＳ２９で、スキャン動作を開始するための予め設定された特定のタイミング（例えば、番組視聴時に選局している放送局のみスキャンする場合、また、電源待機状態に物理チャンネルをスキャンしたり、ユーザの番組視聴を妨げないタイミング）に達したとする。すると、コントロール制御回路１５は、ステップＳ３０で、地上放送用チューナ１２のフロントエンド部がロック状態になったか否かを判別する。
【００８０】
そして、地上放送用チューナ１２のフロントエンド部がロック状態になったと判断された場合（ＹＥＳ）、コントロール制御回路１５は、ステップＳ３１で、受信信号のＣ／Ｎが所定値以上か否かを判別し、所定値以上であると判断された場合（ＹＥＳ）、ステップＳ３２で、受信確認を行ない、そのチャンネルを受信可能な放送局が存在するチャンネルとしてメモリ部２６の不揮発性メモリに記録する。
【００８１】
このステップＳ３２の後、または、上記ステップＳ３０で地上放送用チューナ１２のフロントエンド部がロック状態になっていないと判断された場合（ＮＯ）、または、上記ステップＳ３１で受信信号のＣ／Ｎが所定値未満であると判断された場合（ＮＯ）、コントロール制御回路１５は、ステップＳ３３で、チャンネルスキャンの最終チャンネルであったか否かを判別し、最終チャンネルでないと判断された場合（ＮＯ）、ステップＳ３４で、次の受信チャンネルに更新してステップＳ３０の処理に戻される。
【００８２】
また、上記ステップＳ３３で最終チャンネルであったと判断された場合（ＹＥＳ）、コントロール制御回路１５は、ステップＳ３５で、不揮発性メモリに記録されたチャンネルに基づいて、既に不揮発性メモリに記録されているチャンネルリストの内容を更新する。
【００８３】
そして、コントロール制御回路１５は、ステップＳ３６で、更新されたチャンネルリストの各チャンネルをワンタッチ選局キー群２８の１２個のワンタッチ選局キーにそれぞれ割り当てる。なお、このステップＳ３６におけるチャンネルのワンタッチ選局キーヘの割り当ても、初期スキャンや再スキャンの場合と同様の優先順位を持って行なわれる。
【００８４】
その後、コントロール制御回路１５は、ステップＳ３７で、不揮発性メモリ内に設定されたデータ放送用記録領域の容量が不足しているか否かを判別し、不足していると判断された場合（ＹＥＳ）、ステップＳ３８で、その旨を例えばモニタ１９等を介してユーザに通知して、スキャン動作を終了（ステップＳ３９）する。
【００８５】
また、上記ステップＳ３７でデータ放送用記録領域の容量が不足していないと判断された場合（ＮＯ）、コントロール制御回路１５は、ステップＳ４０で、チャンネルリストに変更があったか否かを判別し、変更が無いと判断された場合（ＮＯ）、そのままスキャン動作を終了（ステップＳ４１）する。
【００８６】
さらに、上記ステップＳ４０でチャンネルリストに変更があったと判断された場合（ＹＥＳ）、コントロール制御回路１５は、ステップＳ４２で、その旨を例えばモニタ１９等を介してユーザに通知して、スキャン動作を終了（ステップＳ４１）する。
【００８７】
上記した自動スキャンによれば、各放送局が個々のユーザに与える個人情報を記録しておくデータ放送用記録領域に割り当てられる放送局の数が不足した場合、その旨をユーザに通知するようにしたので、後で再スキャンを行なうことにより、個人情報が不所望に消去されることが防止され、チャンネルの追加、変更に対して適応的に対応する実用に適したチャンネルスキャンを行なうことができる。
【００８８】
ここで、チャンネルリストに変更があった場合、つまり、自動スキャンによって放送局の変更が見つかった場合、ユーザへの通知は、「放送局の変更（追加・削除など）がありました。チャンネルリストで受信チャンネルをご確認下さい。ワンタッチ選局キーの割り当てを変更する場合には、再スキャンや手動操作による割り当ての変更を行なって下さい。」という内容が考えられる。
【００８９】
また、自動スキャンによって放送局の変更が見つかった場合のユーザへの通知は、「放送局の変更（追加・削除など）がありました。放送局の変更によりデータ放送用記録領域にが割り当てられていない放送局があります。データ放送用記録領域に放送局を割り当てるには、再スキャンを行なって下さい。」という内容も考えられる。
【００９０】
後者の通知内容の場合、チャンネルのワンタッチ選局キーヘの割り当ては自動変更しているが、データ放送用記録領域への放送局の割り当ては変更していない。これは、受信可能な放送局の数が、データ放送用記録領域に割り当て可能な放送局数を越えているからである。
【００９１】
また、先に図４に示したスキャン選択メニューにおいて、自動スキャンが選択決定された場合、コントロール制御回路１５は、自動スキャン選択メニューをモニタ１９に表示させる。この自動スキャン選択メニューには、図１４に示すように、「自動スキャンを行ないますか？」というメッセージとともに、「自動スキャンする」という項目３９ａと、「自動スキャンしない」という項目３９ｂとが表示される。
【００９２】
そして、リモートコントローラ２５の移動キー３３でいずれかの項目３９ａ，３９ｂを選択し、決定キー３４を操作することにより、ユーザが「自動スキャンする」と「自動スキャンしない」とを選択的に要求することができる。
【００９３】
これは、強制的に自動スキャンを行なうと、ユーザの設定に反して受信パラメータ（ワンタッチ選局キー群２８に対するチャンネル割り当て）が自動更新されるため、それを防ぎユーザの取り扱かいの自由度を高めるために、自動スキャンをオフするモードに設定できるようにしている。
【００９４】
なお、この発明は上記した実施の形態そのままに限定されるものではなく、実施段階ではその要旨を逸脱しない範囲で構成要素を種々変形して具体化することができる。
【００９５】
また、上記した実施の形態に開示されている複数の構成要素を適宜に組み合わせることにより、種々の発明を形成することができる。例えば、実施の形態に示される全構成要素から幾つかの構成要素を削除しても良いものである。
【図面の簡単な説明】
【００９６】
【図１】この発明の実施の形態を示すもので、デジタル放送受信機の信号処理系を説明するために示すブロック構成図。
【図２】同デジタル放送受信機におけるリモートコントローラの外観を説明するために示す図。
【図３】同デジタル放送受信機で受信される放送信号に含まれるＳＩ情報の中のサービス識別情報を説明するために示す図。
【図４】同デジタル放送受信機で表示されるスキャン選択メニューの一例を説明するために示す図。
【図５】同デジタル放送受信機における初期スキャン動作の一部を説明するために示すフローチャート。
【図６】同デジタル放送受信機における初期スキャン動作の残部を説明するために示すフローチャート。
【図７】同デジタル放送受信機における再スキャン動作の一部を説明するために示すフローチャート。
【図８】同デジタル放送受信機における再スキャン動作の残部を説明するために示すフローチャート。
【図９】同デジタル放送受信機の再スキャン動作で表示される割り当て方法選択メニューの一例を説明するために示す図。
【図１０】同デジタル放送受信機の再スキャン動作で表示されるデータ放送選択メニューの一例を説明するために示す図。
【図１１】同デジタル放送受信機の再スキャン動作で表示されるチャンネル割り当てメニューの一例を説明するために示す図。
【図１２】同デジタル放送受信機における自動スキャン動作の一部を説明するために示すフローチャート。
【図１３】同デジタル放送受信機における自動スキャン動作の残部を説明するために示すフローチャート。
【図１４】同デジタル放送受信機の自動スキャン動作で表示される自動スキャン選択メニューの一例を説明するために示す図。
【符号の説明】
【００９７】
１１…地上デジタル放送用アンテナ、１２…地上放送用チューナ、１３…復調回路、１４…ＴＳプロセッサ、１５…コントロール制御回路、１６…ＭＰＥＧデコーダ、１７…ＯＳＤ回路、１８…Ｄ／Ａ変換回路、１９…モニタ、２０…Ｄ／Ａ変換回路、２１…スピーカ、２２…衛星デジタル放送用アンテナ、２３…衛星放送用チューナ、２４…復調回路、２５…リモートコントローラ、２６…メモリ部、２７…電源キー、２８…ワンタッチ選局キー群、２９…受信モード切替キー群、３０…チャンネルアップダウンキー、３１…音量調整キー、３２…戻るキー、３３…移動キー、３４…決定キー、３５…メニューキー。
【図１】
2005117334.tif 000003
【図２】
2005117334.tif 000004
【図３】
2005117334.tif 000005
【図４】
2005117334.tif 000006
【図５】
2005117334.tif 000007
【図６】
2005117334.tif 000008
【図７】
2005117334.tif 000009
【図８】
2005117334.tif 000010
【図９】
2005117334.tif 000011
【図１０】
2005117334.tif 000012
【図１１】
2005117334.tif 000013
【図１２】
2005117334.tif 000014
【図１３】
2005117334.tif 000015
【図１４】
2005117334.tif 000016